(57)【要約】【課題】摩耗や動作音が軽減されるヒンジを提供する。【解決手段】複写機等の装置本体の固定側部材に取り付けられたヒンジケースに、支軸を介して回動自在に枢着された回動アームに開閉蓋等の開閉側部材を取り付け、該開閉側部材に開方向のトルクを加えるヒンジにおいて、上記回動アームの基部下側に一体的に設けられたカムと、上記ヒンジケース内を上下方向にスライド可能に収められたスライダーと、該スライダー内に収められてこれを上記カムに弾性的に当接せしめるスプリングから成り、上記回動アームが閉状態から所定角度まで開く状態まで、上記回動アームに開方向のトルクを加えるように構成する。【選択図】        図１
2007186884.tif 000002
【特許請求の範囲】
【請求項１】
複写機等の装置本体の固定側部材に取り付けられたヒンジケースに、支軸を介して回動自在に枢着された回動アームに開閉蓋等の開閉側部材を取り付け、該開閉側部材に開方向のトルクを加えるヒンジにおいて、上記回動アームの基部下側に一体的に設けられたカムと、上記ヒンジケース内を上下方向にスライド可能に収められたスライダーと、該スライダー内に収められてこれを上記カムに弾性的に当接せしめるスプリングから成り、上記回動アームが閉状態から所定角度まで開く状態まで、上記回動アームに開方向のトルクを加えるように構成したことを特徴とするヒンジ。
【請求項２】
上記所定角度が、約３０°であることを特徴とする請求項１に記載のヒンジ。
【請求項３】
上記支軸を金属製とし、その少なくとも一端を抜け止め用のカシメ加工をすると共に、該カシメの周囲のヒンジケースに凹部を形成して、上記カシメ部分が露出しないように構成したことを特徴とする請求項１または２に記載のヒンジ。
【請求項４】
上記ヒンジケースの下端部に抜止めピンを取付け固定し、該抜止めピンを上記固定側部材に開設した長穴に入り込ませて、上記ヒンジケースを所定ストローク分だけ上下動できるように構成したことを特徴とする請求項１、２または３に記載のヒンジ。
【請求項５】
上記スライダーの側面であって上記支軸の軸方向に直交する側面に、リブをスライド方向に形成することを特徴とする請求項１、２、３または４に記載のヒンジ。
【請求項６】
上記スライダーの少なくとも原稿側側面に、グリス溜まりを設けることを特徴とする請求項１、２、３または４に記載のヒンジ。
【請求項７】
上記スライダーの下方開放端部の内側コーナーにテーパ面を形成することを特徴とする請求項１、２、３、４、５または６に記載のヒンジ。
【発明の詳細な説明】
【技術分野】
【０００１】
本発明は、固定側部材に取り付けられたヒンジケースに、回動自在に枢着された回動アームに開閉側部材を取り付け、該開閉側部材に開方向のトルクを加える、ヒンジに関する。
【背景技術】
【０００２】
従来のこの種のヒンジとしては、基部に可動部を揺動自在に連結し開方向のトルクを前記可動部に加えるヒンジであって、前記可動部又は前記基部のいずれか一方に係止されるハウジング（ヒンジケース）と、前記可動部又は前記基部のいずれか他方に係止され前記ハウジングに揺動自在に連結されているカムベース（回動アーム）と、前記ハウジングに往復移動自在に収容され前記開方向前方より前記開方向後方で前記カムベースの揺動軸に接近している斜面を有するプランジャ（スライダー）と、前記ハウジングに収容され前記揺動軸に接近させる方向に前記プランジャを押す弾性体（スプリング）と、前記カムベースとともに揺動し、前記弾性体の縮み量が最大から所定の範囲内にあるとき前記斜面に摺接し、前記プランジャが前記揺動軸に接近すると前記開方向に回転する第一カムと、前記第一カムより前記開方向後方に設けられ、前記カムベースとともに揺動し、前記弾性体の縮み量が最小から所定の範囲内にあるとき前記斜面に摺接し、前記プランジャが前記揺動軸に接近すると前記開方向に回転する第二カムと、を備えることを特徴とするヒンジがある。（例えば、特許文献１参照）
【０００３】
しかし、上記従来のヒンジは、不必要な範囲までトルクがかかる構造となっているため、カムとスライダー等の摩耗が激しいだけでなく、動作音も大きいという問題点があった。また、回動アームをヒンジケースに回動自在に枢着する金属製の支軸の端部を、抜け止め用にカシメた場合に該カシメ部分が露出していて怪我する虞があったり、特に厚い原稿を押さえた場合にヒンジケースが基部から抜け出る虞があった。さらに、スライダーが円滑に摺動し難かったり、摩耗し易く、また、スプリングと干渉するために異常音が発生する等の問題点があった。
【特許文献１】特開２００３−１２９７３９号公報
【発明の開示】
【発明が解決しようとする課題】
【０００４】
本発明が解決しようとする課題は、上記従来の問題点を解決することにある。
【課題を解決するための手段】
【０００５】
本発明のヒンジは、複写機等の装置本体の固定側部材に取り付けられたヒンジケースに、支軸を介して回動自在に枢着された回動アームに開閉蓋等の開閉側部材を取り付け、該開閉側部材に開方向のトルクを加えるヒンジにおいて、上記回動アームの基部下側に一体的に設けられたカムと、上記ヒンジケース内を上下方向にスライド可能に収められたスライダーと、該スライダー内に収められてこれを上記カムに弾性的に当接せしめるスプリングから成り、上記回動アームが閉状態から例えば約３０°などの所定角度まで開く状態まで、上記回動アームに開方向のトルクを加えるように構成したことを特徴とする。また、上記支軸を金属製とし、その少なくとも一端を抜け止め用のカシメ加工をすると共に、該カシメの周囲のヒンジケースに凹部を形成して、上記カシメ部分が露出しないように構成したことを特徴とする。さらに、上記ヒンジケースの下端部に抜止めピンを取付け固定し、該抜止めピンを上記固定側部材に開設した長穴に入り込ませて、上記ヒンジケースを所定ストローク分だけ上下動できるように構成したことを特徴とする。又更に、上記スライダーの側面であって上記支軸の軸方向に直交する側面に、リブをスライド方向に形成することを特徴とする。更に又、上記スライダーの少なくとも原稿側側面に、グリス溜まりを設けることを特徴とする。また、上記スライダーの下方開放端部の内側コーナーにテーパ面を形成することを特徴とする。
【発明の効果】
【０００６】
本発明のヒンジは、下記の効果を奏する。
１）開閉側部材を使用する範囲のみトルクがかかり、特に、スライダーやカムの弾性接触による摩耗を少なくすることができるだけでなく、動作音が軽減される。
２）カシメ部分にまで手が届かないので怪我をする虞がない。また、ヒンジを装置本体の角穴へセットする時に、寸法制約が無く小スペース化になる。
３）辞書などの厚い原稿を複写する場合などに、ヒンジケースが抜け出る虞がない。
４）リブをヒンジケースとの摩擦スライド面として、圧入バメ公差で部品を高精度に確保・管理することができるだけでなく、スプリングの復元力によるスライダーと回動アームとの衝突音を軽減させることができる。また、リブ間の溝をグリス溜まりとしたり、スライダーの少なくとも原稿側側面にグリス溜まりを設けてもよい。
５）圧縮・復元を繰り返すスプリングと、上記スライダーの下方開放端部の内側コーナーとが干渉してその干渉音が発生する虞がない。
【発明を実施するための最良の形態】
【０００７】
図１は、本発明のヒンジの一実施例を示すものであって、１はヒンジケース、２は回動アーム、３は支軸、４はカム、５はスライダー、６はスプリングである。
【０００８】
上記ヒンジケース１は、複写機等の装置本体の固定側部材Ｓに、上下スライド可能に挿設されている。該ヒンジケース１の下端部には、抜止めピン７がネジ込み又は圧入等により取付け固定されている。該抜止めピン７は、上記固定側部材Ｓに開設された長穴Ｓ′に入り込んでいる。従って、上記ヒンジケース１は、所定ストローク分だけ上下動できるようになっている。
【０００９】
上記回動アーム２は、支軸３を介して上記ヒンジケース１の上端部に回動自在に枢着されている。図２から明らかなように、上記支軸３を金属製とする場合には、その少なくとも一端は、カシメ３ａにより抜け止め加工する。該カシメ３ａの周囲のヒンジケース１は、いわゆるザグリ加工により凹部１ａが形成されていて、カシメ３ａ部分が露出しないようになっている。
【００１０】
上記回動アーム２には、開閉蓋や画像入力部（上記特許文献１を参照）などの開閉側部材Ｔが取付け固定されている。図１において、回動アーム２が時計回りに回動する方向が開閉側部材Ｔの閉方向であり、逆に、反時計回りに回動する方向が開閉側部材Ｔの開方向である。
【００１１】
上記回動アーム２の基部下側には、カム４が一体的に設けられている。該カム４には、スライダー５が弾性的に当接するようになっている。すなわち、該スライダー５は、上記ヒンジケース１内を上下方向にスライド可能に収められていると共に、スプリング６（圧縮ばね）により、上記カム４に弾性的に当接するようになっている。
【００１２】
上記スライダー５は、図３（Ａ）（Ｂ）に示すように、上記回動アーム２が０°（閉状態）から３０°（半開き状態）に位置する場合には、その突起５ａがカム４を介して、上記回動アーム２を開くようにトルクがかかっている。上記回動アーム２が、図（Ｂ）〜（Ｃ）に示すように、３０°〜９０°（全開状態）に位置する場合には、上記トルクが働くことなく、フリーの状態にある。
【００１３】
図４から明らかなように、スライダー５は、下方が開放した箱形を成しており、上面には、上記カム４に当接する突起５ａが突設されている。また、該スライダー５の側面、特に、上記支軸３の軸方向に直交する側面には、リブ５ｂ（本実施例では２条）がスライド方向に形成されている。さらに、上記スライダー５の下方開放端部の内側コーナーに、テーパ面５ｃが形成されている。
【００１４】
次に、上記ヒンジの作用およびその効果等について説明する。
本実施例のヒンジは、図１に示すように、回動アーム２の基部下側に一体的に設けられたカム３と、ヒンジケース１内を上下方向にスライド可能に収められたスライダー５と、該スライダー５内に収められてこれを上記カム３に弾性的に当接せしめるスプリング６から成り、上記回動アーム２が閉状態から例えば３０°のような所定角度まで開く状態まで、上記回動アーム２に開方向のトルクを加えるように構成されているので、開閉側部材を使用する範囲のみトルクがかかり、特に、スライダー５やカム３の弾性接触による摩耗を少なくすることができるだけでなく、動作音が軽減される。
【００１５】
上記支軸３を金属製として、その少なくとも一端を抜け止め用のカシメ３ａ加工とした場合には、上記カシメ３ａのエッジ部分にユーザーの手が触れて怪我をする虞があるが、該カシメ３ａの周囲のヒンジケース１に凹部１ａを形成して、上記カシメ３ａ部分が露出しないように構成することにより、このカシメ３ａ部分にまで手が届かないので、怪我をする虞がない。また、ヒンジを装置本体の角穴へセットする時に、寸法制約が無く小スペース化になる。
【００１６】
上記ヒンジケース１の下端部に抜止めピン７を取付け固定し、該抜止めピン７を上記固定側部材Ｓに開設された長穴Ｓ′に入り込ませて、上記ヒンジケース１を所定ストローク分だけ上下動できるように構成したので、辞書などの厚い原稿を複写する場合などに、ヒンジケース１が抜け出る虞がない。
【００１７】
上記スライダー５の側面であって上記支軸３の軸方向に直交する側面に、リブ５ｂをスライド方向に形成することにより、このリブ５ｂをヒンジケース１との摩擦スライド面として、圧入バメ公差で部品を高精度に確保・管理することができるだけでなく、スプリング６の復元力によるスライダー５と回動アーム２との衝突音を軽減させることができる。また、リブ５ｂ間の溝をグリス溜まりとすることもできる。なお、前記リブ５ｂ間の溝のグリス溜まりに代えて、図５に示すように、上記スライダー５の少なくとも原稿側側面に、グリス溜まり５ｄを形成して、開放時にグリスがスライダー５の上部からはみ出さないように構成してもよい。
【００１８】
上記スライダー５の下方開放端部の内側コーナーにテーパ面５ｃを形成することにより、圧縮・復元を繰り返すスプリング６と、上記スライダー５の下方開放端部の内側コーナーとが干渉してその干渉音が発生する虞がない。
【図面の簡単な説明】
【００１９】
【図１】本発明のヒンジの一実施例を示す断面図である。
【図２】支軸のカシメ部分を示す説明図である。
【図３】回動アームとカムの関係を説明する説明図（Ａ）〜（Ｃ）である。
【図４】スライダーの構造を説明する説明図である。
【図５】スライダーの少なくとも原稿側側面にグリス溜まりを形成した別の実施例を示す説明図である。
【符号の説明】
【００２０】
１    ヒンジケース
１ａ  凹部
２    回動アーム
３    支軸
３ａ  カシメ
４    カム
５    スライダー
５ａ  突起
５ｂ  リブ
５ｃ  テーパ面
５ｄ  グリス溜まり
６    スプリング
７    抜止めピン
Ｓ    固定側部材
Ｓ′  長穴
Ｔ    開閉側部材
【図１】
2007186884.tif 000003
【図２】
2007186884.tif 000004
【図３】
2007186884.tif 000005
【図４】
2007186884.tif 000006
【図５】
2007186884.tif 000007